(57)【要約】【課題】  液晶表示パネルと保護板とを近接配置した場合でも、表示の押しムラを解消した液晶表示装置を提供することであり、さらには、液晶表示装置の薄型化や製造コストの低減も併せて達成した液晶表示装置を提供すること。【解決手段】  対向する２枚の透明基板（ＳＵＢ１，ＳＵＢ２）の間に液晶層を配置した液晶表示パネルと、該液晶表示パネルの一方の面に近接配置された保護板ＰＰとを有する液晶表示装置において、該保護板と、該保護板側に位置する該透明基板の角部との少なくとも一方に、該保護板の周辺部に該液晶表示パネルに向かう圧力が加わった際に、該保護板と該角部とが接触するのを防止する、接触防止手段（Ｂ，Ｃ）が設けられていることを特徴とする。【選択図】図３
2011107443.tif 000002
【特許請求の範囲】
【請求項１】
対向する２枚の透明基板の間に液晶層を配置した液晶表示パネルと、該液晶表示パネルの一方の面に近接配置された保護板とを有する液晶表示装置において、
該保護板と、該保護板側に位置する該透明基板の角部との少なくとも一方に、
該保護板の周辺部に該液晶表示パネルに向かう圧力が加わった際に、該保護板と該角部とが接触するのを防止する、接触防止手段が設けられていることを特徴とする液晶表示装置。
【請求項２】
請求項１に記載の液晶表示装置において、該接触防止手段は、該保護板の該角部に対向する位置に設けられた逃げ加工であることを特徴とする液晶表示装置。
【請求項３】
請求項１に記載の液晶表示装置において、該接触防止手段は、該角部に設けられたコーナーカットであることを特徴とする液晶表示装置。
【請求項４】
請求項１乃至３のいずれかに記載の液晶表示装置において、該液晶表示パネルに駆動回路が設置され、該接触防止手段は該駆動回路の近傍に形成されていることを特徴とする液晶表示装置。
【発明の詳細な説明】
【技術分野】
【０００１】
本発明は液晶表示装置に関し、特に、液晶表示パネルの一方の面に保護板を貼り付けた液晶表示装置に関する。
【背景技術】
【０００２】
液晶表示装置は、携帯電話や携帯情報端末など多くの電子機器の表示装置として利用されている。このため液晶表示装置には使用する環境負荷への耐久性が要求され、特に、衝撃や摩擦など機械的な負荷により、液晶表示装置の表示面が損傷することを防止する必要がある。
【０００３】
このため、液晶表示パネルを保護するため、ガラスやアクリル樹脂などの保護板を、液晶表示パネルの表示面側に配置することが行われている。そして、この保護板と液晶表示パネルとの間に空気層が存在すると、各々の界面で光が乱反射を起こし、視認性が低下する。このため、保護板と液晶表示パネルとの間に、屈折率が保護板及び液晶表示パネルと近い透明な接着剤を用いて一体構造とすることが行われている。
【０００４】
このような一体構造は、「ハイブリッド構造」とも呼ばれ、保護板と液晶表示パネルとの境界での乱反射を低減するだけでなく、保護板と液晶表示パネルとの間隔が０．０２〜０．１ｍｍ程度と、両者を近接配置でき、携帯電話や携帯情報端末などに利用される液晶表示装置の薄型化も併せて満足することが可能である。
【０００５】
図１は、液晶表示装置の周辺部分を示す断面図である。液晶表示パネルは、対向する２つの透明基板（ＳＵＢ１，ＳＵＢ２）の間に液晶層が配置し、各透明基板の外側には、偏光板（ＰＯ１，ＰＯ２）が設けられている。また、透明基板ＳＵＢ１の表面には、表示画素毎に電極やスイッチング素子が形成されると共に、これらを駆動するためのマトリックス状の配線が形成されている。配線の一部は、透明基板ＳＵＢ１の周辺の一部に配置された駆動回路ＤＲに接続されている。また、駆動回路ＤＲや他の配線への外部からの電気的接続は、フレキシブル・プリント回路ＦＰＣで行われている。
【０００６】
このように、透明基板上の配線を外部に導出したり、駆動回路ＤＲを配置するため、図１のように、液晶表示パネルを構成する２つの透明基板の一方（ＳＵＢ１）が他方（ＳＵＢ２）より周辺に張り出す構造を採用している。
【０００７】
上述のように保護板ＰＰを接着剤ＡＤで液晶表示パネルに貼り付けると、液晶表示パネルを構成する透明基板と保護板との間に隙間が構成される。しかも、２つの透明基板は駆動回路ＤＲが配置される部分では段差を形成しており、保護板ＰＰと各透明基板（ＳＵＢ１，ＳＵＢ２）との間隔が、各々異なっている。
【０００８】
このような状況では、図２に示すように、保護板の周辺部に圧力が加わると、点線で図示したように保護板ＰＰが撓み、一方の透明基板（ＳＵＢ２）の角部と保護板ＰＰとが点線Ａの部分で接触し、この角部に圧力が集中するため、該角部の近傍では表示ムラ（押しムラ）が発生する。
【０００９】
このような保護板に加わる圧力が液晶表示パネルに伝達するのを抑制する方法としては、特許文献１に示すように、保護板と液晶表示パネルとの間に透明弾性樹脂を介在させる方法や、特許文献２に示すように、保護板（保護板とタッチパネルの組み合わせ）と液晶表示パネルとの間に十分なスペースを設け、両者の対向する面に反射防止膜を設ける方法などがあるが、いずれの方法も、液晶表示装置の厚みが増し、薄型化の要求を満足することができない。また、構造が複雑化し、製造コストも増加するなどの問題も生じる。
【先行技術文献】
【特許文献】
【００１０】
【特許文献１】特開平１１−１７４４１７号公報
【特許文献２】特開２００８−８３４９１号公報
【発明の概要】
【発明が解決しようとする課題】
【００１１】
本発明の解決しようとする課題は、上述した問題を解消し、液晶表示パネルと保護板とを近接配置した場合でも、表示の押しムラを解消した液晶表示装置を提供することであり、さらには、液晶表示装置の薄型化や製造コストの低減も併せて達成した液晶表示装置を提供することである。
【課題を解決するための手段】
【００１２】
本発明の表示装置は、上述した課題を解決するため、以下のような特徴を有する。
【００１３】
（１）  対向する２枚の透明基板の間に液晶層を配置した液晶表示パネルと、該液晶表示パネルの一方の面に近接配置された保護板とを有する液晶表示装置において、該保護板と、該保護板側に位置する該透明基板の角部との少なくとも一方に、該保護板の周辺部に該液晶表示パネルに向かう圧力が加わった際に、該保護板と該角部とが接触するのを防止する、接触防止手段が設けられていることを特徴とする。
【００１４】
（２）  上記（１）に記載の液晶表示装置において、該接触防止手段は、該保護板の該角部に対向する位置に設けられた逃げ加工であることを特徴とする。
【００１５】
（３）  上記（１）に記載の液晶表示装置において、該接触防止手段は、該角部に設けられたコーナーカットであることを特徴とする。
【００１６】
（４）  上記（１）乃至（３）のいずれかに記載の液晶表示装置において、該液晶表示パネルに駆動回路が設置され、該接触防止手段は該駆動回路の近傍に形成されていることを特徴とする。
【発明の効果】
【００１７】
本発明によれば、保護板と、該保護板側に位置する液晶表示パネルの透明基板の角部との少なくとも一方に、該保護板の周辺部に該液晶表示パネルに向かう圧力が加わった際に、該保護板と該角部とが接触するのを防止する、接触防止手段が設けられているため、表示の押しムラを効果的に抑制することが可能となる。しかも、該接触防止手段は、該保護板の該角部に対向する位置に設けられた逃げ加工、あるいは、該角部に設けられたコーナーカットであるため、構造が複雑化せず、簡単な構成で実現できる。このため、液晶表示装置の薄型化や製造コストの低減も併せて達成することが可能となる。さらに、該液晶表示パネルに駆動回路が設置され、該接触防止手段は該駆動回路の近傍に形成されているため、押しムラが発生し易い位置に対して、より適切に対策を施した液晶表示装置を提供することができる。
【図面の簡単な説明】
【００１８】
【図１】従来の液晶表示装置の周辺近傍の概略を示す断面図である。
【図２】図１の液晶表示装置に圧力が加わった場合の状況を説明する図である。
【図３】本発明の液晶表示装置の周辺近傍の概略を示す断面図である。
【発明を実施するための形態】
【００１９】
本発明に係る液晶表示装置について、以下に詳細に説明する。図３は、本発明の液晶表示装置の周辺近傍の概略を示す断面図である。なお、説明を簡略化するため、図１乃至３において使用する符号が同一のものは、各々が同じ部材で構成されることを意味している。
【００２０】
本発明の液晶表示装置は、対向する２枚の透明基板（ＳＵＢ１，ＳＵＢ２）の間に液晶層を配置した液晶表示パネルと、該液晶表示パネルの一方の面に近接配置された保護板ＰＰとを有する液晶表示装置において、該保護板と、該保護板側に位置する該透明基板ＳＵＢ２の角部との少なくとも一方に、該保護板の周辺部に該液晶表示パネルに向かう圧力が加わった際に、該保護板と該角部とが接触するのを防止する、接触防止手段（Ｂ，Ｃ）が設けられていることを特徴とする。
【００２１】
図３を用いて、本発明が適用される液晶表示装置の概略を説明する。液晶表示パネルは、対向する２つの透明基板（ＳＵＢ１，ＳＵＢ２）の間に液晶層が配置されている。一方の透明基板ＳＵＢ１には、液晶に電界を印加するための画素電極や共通電極が形成され、各電極を駆動するためのスイッチング素子である薄膜トランジスタが形成されている。さらに、透明基板ＳＵＢ１には、各電極やスイッチング素子に給電を行う配線（不図示）がマトリックス状に形成され、その配線の一部は、透明基板ＳＵＢ１の周辺部分に引き出されている。
【００２２】
配線の一部には、ＩＣチップなどで構成される駆動回路ＤＲが接続され、さらに、駆動回路ＤＲや他の配線への外部からの電気的接続は、フレキシブル・プリント回路ＦＰＣで行われている。
【００２３】
他方の透明基板ＳＵＢ２には、各表示画素に対応するカラーフィルタが形成されている。また、対向する透明基板の外側には、偏光板（ＰＯ１，ＰＯ２）が配置され、液晶表示パネルを構成している。
【００２４】
液晶表示パネルの裏面には、バックライトＢＬが配置され、発光ダイオードなどの光源からの光を液晶表示パネルの全面に照射するよう構成されている。そして、バックライトと液晶表示パネルは、樹脂製のモールドフレームＭＦＲで位置決めされ、さらに、金属製の下フレームＳＦＲの内部に収容されている。
【００２５】
液晶表示パネルの表示面側には、保護板ＰＰが近接配置されている。液晶表示パネルと保護板とを近接配置する方法としては、接着剤ＡＤにより保護板ＰＰを液晶表示パネル（図面では、液晶表示パネルの偏光板ＰＯ２）に貼り付ける方法や、透明フィルムや粘着剤などの透明液体を介在させて両者を近接配置する方法、保護板ＰＰや液晶表示パネルの一部を支持する方法などがある。本発明は、保護板と液晶表示パネルとの間を一定に保つために両者を強固に保持するフレーム等の保持構造を有しない液晶表示装置であって、保護板と液晶表示パネルとが近接配置されているものには、特に、好適に適用することができる。
【００２６】
本発明の特徴は、保護板ＰＰと、該保護板側に位置する該透明基板ＳＵＢ２の角部との少なくとも一方に、該保護板と該角部とが接触するのを防止するための接触防止手段を設けることである。この接触防止手段の具体的態様としては、図３の符号Ｂで示すように、保護板ＰＰのこの角部に対向する位置に逃げ加工を施すことである。逃げ加工を施した部位は、液晶パネルのドライバＤＲを配置した辺に並行した溝Ｂになっている。
【００２７】
また、接触防止手段の別の態様としては、透明基板ＳＵＢ２の角部自体に、符号Ｃで示すように、コーナーカットを形成することである。コーナーカットを施した部位は傾斜部Ｃになっており、傾斜部Ｃは液晶パネルのドライバＤＲを配置した辺と並行して形成してある。
【００２８】
これらの、接触防止手段により、保護板ＰＰの周辺部に液晶表示パネルに向かう圧力（図３参照）が加わった際でも、該保護板ＰＰと該液晶表示パネルを構成する透明基板ＳＵＢ２の角部とが接触するのを防止することができる。これにより、表示の押しムラを効果的に抑制することが可能となる。しかも、該接触防止手段は、該保護板の該角部に対向する位置に設けられた逃げ加工、あるいは、該角部に設けられたコーナーカットであるため、構造が複雑化せず、簡単な構成で実現できる。このため、液晶表示装置の薄型化や製造コストの低減も併せて達成することが可能となる。
【００２９】
また、本発明の液晶表示装置では、液晶表示パネルに駆動回路ＤＲが設置され、当該接触防止手段はこの駆動回路ＤＲの近傍に形成されていることを特徴としている。これは、駆動回路ＤＲを透明基板ＳＵＢ１の上に配置するため、駆動回路が配置される場所では、２つの透明基板（ＳＵＢ１，ＳＵＢ２）が図３のように段差を形成しており、保護板ＰＰと各透明基板（ＳＵＢ１，ＳＵＢ２）との間隔が、各々異なり、保護板ＰＰが透明基板ＳＵＢ２の角部を押圧し易くなるためである。そして、このような透明基板の段差が形成される場所には、本発明の接触防止手段を用いることで、表示の押しムラを効果的に抑制することが可能となる。
【産業上の利用可能性】
【００３０】
以上のように、本発明によれば、液晶表示パネルと保護板とを近接配置した場合でも、表示の押しムラを解消した液晶表示装置を提供することができ、さらには、液晶表示装置の薄型化や製造コストの低減も併せて達成した液晶表示装置を提供することが可能となる。
【符号の説明】
【００３１】
Ａ  接触部
Ｂ  接触防止手段（逃げ加工）
Ｃ  接触防止手段（コーナーカット）
ＡＤ  接着剤
ＢＬ  バックライト
ＤＲ  駆動回路
ＦＰＣ  フレキシブル・プリント回路
ＭＦＲ  モールドフレーム
ＰＯ１，ＰＯ２  偏光板
ＰＰ  保護板
ＳＦＲ  下フレーム
ＳＵＢ１，ＳＵＢ２  透明基板
【図１】
2011107443.tif 000003
【図２】
2011107443.tif 000004
【図３】
2011107443.tif 000005